(57)【要約】【課題】  現状のユーザ操作を妨げず、メールによりデータ交換を自動で行い、該データ交換の自動性及び即時性に優れた携帯移動機、携帯移動機データ送受信システム、方法を提供する。【解決手段】  メール送受信制御部２は動作中の送信要求タスク１よりデータ送信要求を受け、送信データ取得後に送信先制御部３へ送信先情報を要求する。送信先制御部３は予め設定された情報に従い、送信先情報テーブル５へ送信先情報を問い合わせる。メール送受信制御部２は該送信先情報に識別本文データを付加し、メール送受信処理部４へ通知する。メール送受信処理部４は該送信先情報に従い、メールを送信する。送信元からメールが届くと、メール送受信処理部４は、メール受信通知をメール送受信制御部２へ送出する。メール送受信制御部２は識別本文データを確認し、ユーザ設定を確認する。ユーザ設定に従い、受信タスク群６中の該当機能が呼び出され、ユーザ設定処理が行われる。【選択図】  図１
2005038169.tif 000002
【特許請求の範囲】
【請求項１】
マルチタスク動作を行っており、動作中の送信要求タスクによるデータ送信要求に対してはデータ送信を行い、受信したデータに対しては受信タスク群によるユーザ設定の処理を行うことを特徴とする携帯移動機であって、
送信要求タスクによるデータ送信要求を受信し、データ送信要求に係る送信データと、データの送信先を表すデータ送信先情報を、メールに付加するメール送受信制御手段と、
データ送信要求の発生時における携帯移動機の状況から適切なデータ送信先を決定し、対応するデータ送信先情報を前記メール送信制御手段に送信するメール送信先制御手段と、
データ送信先情報を管理しており、前記メール送信先制御手段の要求に応じ、対応するデータ送信先情報を前記メール送信先制御手段に送信する送信先情報記憶手段と、
前記メール送受信制御手段により、送信データ及びデータ送信先情報が付加されたメールの送信処理を行うメール送受信処理手段とを有し、
現状のユーザ操作に影響を与えず、該メールのメール送信処理を行うことを特徴とする携帯移動機。
【請求項２】
前記メール送受信処理手段は、前記メール送信処理により該メールを受信し、該メールの受信通知を前記メール送受信制御手段に送信し、
前記メール送受信制御手段は、前記受信タスク群に前記受信通知を振り分け、
受信タスク群によるユーザ設定の処理を行うことを特徴とする請求項１に記載の携帯移動機。
【請求項３】
前記メール送信処理により受信する該メールが、マルチタスク動作の処理対象であることを表す識別本文データがあって、
前記メール送受信制御手段は、メール送信時には前記識別本文データを該メールに付加し、メール受信時には前記識別本文データより該メールの識別を行い、前記受信タスク群に前記受信通知を振り分けることを特徴とする請求項１または２に記載の携帯移動機。
【請求項４】
マルチタスク動作を行っており、動作中の送信要求タスクによるデータ送信要求に対してはデータ送信を行い、受信したデータに対しては受信タスク群によるユーザ設定の処理を行うことを特徴とする携帯移動機が互いにネットワークを形成しており、所定のデータの送受信を行う際の携帯移動機データ送受信システムであって、
送信側の携帯移動機は、
送信要求タスクによるデータ送信要求を受信し、データ送信要求に係る送信データと、データの送信先を表すデータ送信先情報を、メールに付加するメール送受信制御手段と、
データ送信要求の発生時における携帯移動機の状況から適切なデータ送信先を決定し、対応するデータ送信先情報を前記メール送信制御手段に送信するメール送信先制御手段と、
データ送信先情報を管理しており、前記メール送信先制御手段の要求に応じ、対応するデータ送信先情報を前記メール送信先制御手段に送信する送信先情報記憶手段と、
前記メール送受信制御手段により、送信データ及びデータ送信先情報が付加されたメールの送信処理を行うメール送受信処理手段とを有し、
現状のユーザ操作に影響を与えず、該メールのメール送信処理を行うことを特徴とする携帯移動機データ送受信システム。
【請求項５】
受信側の携帯移動機は、
前記メール送受信処理手段にて、前記メール送信処理により該メールを受信し、該メールの受信通知を前記メール送受信制御手段に送信し、
前記メール送受信制御手段にて、前記受信タスク群に前記受信通知を振り分け、
受信タスク群によるユーザ設定の処理を行うことを特徴とする請求項４に記載の携帯移動機データ送受信システム。
【請求項６】
前記メール送信処理により受信する該メールが、マルチタスク動作の処理対象であることを表す識別本文データがあって、
送信側の携帯移動機は、前記メール送受信制御手段にて、メール送信時には前記識別本文データを該メールに付加し、
受信側の携帯移動機は、前記メール送受信制御手段にて、メール受信時には前記識別本文データより該メールの識別を行い、前記受信タスク群に前記受信通知を振り分けることを特徴とする請求項４または５に記載の携帯移動機データ送受信システム。
【請求項７】
マルチタスク動作を行っており、動作中の送信要求タスクによるデータ送信要求に対してはデータ送信を行い、受信したデータに対しては受信タスク群によるユーザ設定の処理を行うことを特徴とする携帯移動機が互いにネットワークを形成しており、所定のデータの送受信を行う際の携帯移動機データ送受信システムにおける携帯移動機データ送受信方法であって、
送信側の携帯移動機にて、
メール送受信制御手段が、送信要求タスクによるデータ送信要求を受信し、データ送信要求に係る送信データを、メールに付加する第１工程と、
メール送信先制御手段が、データ送信要求の発生時における携帯移動機の状況から適切なデータ送信先を決定するため、データの送信先を表すデータ送信先情報の取得要求を送信先情報記憶手段に行う第２工程と、
送信先情報記憶手段が、データ送信先情報を管理しており、前記メール送信先制御手段の要求に応じ、対応するデータ送信先情報を前記メール送信先制御手段に送信する第３工程と、
前記メール送信先制御手段が、前記第３工程における該データ送信先情報を前記メール送信制御手段に送信する第４工程と、
前記メール送受信制御手段が、前記第４工程における該データ送信先情報をメールに付加する第５工程と、
メール送受信処理手段が、第５工程における前記メール送受信制御手段により受信した、送信データ及びデータ送信先情報が付加されたメールの送信処理を行う第６工程とを有し、
現状のユーザ操作に影響を与えず、該メールのメール送信処理を行うことを特徴とする携帯移動機データ送受信方法。
【請求項８】
受信側の携帯移動機にて、
前記第６工程における前記メール送信処理にて、前記メール送受信処理手段が該メールを受信し、該メールの受信通知を前記メール送受信制御手段に送信する第７工程と、
前記第７工程における前記メール送受信制御手段が、前記受信タスク群に前記受信通知を振り分ける第８工程とを有し、
受信タスク群によるユーザ設定の処理を行うことを特徴とする請求項７に記載の携帯移動機データ送受信方法。
【請求項９】
前記メール送信処理により受信する該メールが、マルチタスク動作の処理対象であることを表す識別本文データがあって、
送信側の携帯移動機は、前記メール送受信制御手段にて、メール送信時には前記識別本文データを該メールに付加し、
受信側の携帯移動機は、前記メール送受信制御手段にて、メール受信時には前記識別本文データより該メールの識別を行い、前記受信タスク群に前記受信通知を振り分けることを特徴とする請求項７または８に記載の携帯移動機データ送受信方法。
【発明の詳細な説明】
【技術分野】
【０００１】
本発明は、携帯移動機、携帯移動機データ送受信システム、方法に関するものであり、特にマルチタスク動作を生かして、画像データなどのデータ送受信の即時性、自動性を追求した携帯移動機、携帯移動機データ送受信システム、方法に関する。
【背景技術】
【０００２】
近時、ＰＨＳやデジタル携帯電話等の携帯移動機においては、パーソナルコンピュータ等の情報処理装置を接続せずに単体でも、音声の通話のみならず、電子メール文書や手書きによる画像情報等を送受する機能を有するものが広く一般に普及している。そして上記のような音声以外の情報の通信が可能な携帯移動機のなかには、音声による通話と音声以外の情報の通信とを、同時に行うことができるようになってきた。
【０００３】
既に実現されている既知技術としては、（１）「ＴＶ電話機能」、（２）予め登録しておいたメールアドレスへ携帯移動機本体を閉じたままムービー／フォトメールを送信する技術等が挙げられる。しかし、この従来技術には、次のような問題点があった。
【０００４】
第１の問題点は、（１）に関しては汎用性に乏しいことである。その理由は、ＴＶ電話機能の実現の為には、専用アーキテクチャ／プロトコル等を基盤としたソフトウェア／ハードウェアの組み込みが必要である為である。電子メール機能を有する携帯移動機等であれば、ソフトウェアの追加・修正のみで搭載可能であることが簡易で望ましい。
【０００５】
第２の問題点は、（２）に関しては即時性・自動性に乏しいことである。その理由は、送信側の機能しか考慮しておらず、受信側から見れば、他の一般的なメールと区別できない為、受信通知・自動保存に代表される即時性・自動性の高い機能を実現することが不可能な為である。この点に関してはメール送受信双方のアーキテクチャを考慮することにより、該当受信メールを他の一般メールと区別する事が可能であり、従って受信時において独自の受信通知・自動保存等の機能を動作させることが望ましい。
【０００６】
特許文献１、２にも音声による通話と音声以外の情報の通信とを同時に行うために簡易さ・迅速さを追求した技術内容が公開されているが、上記第１及び第２の問題点を克服するものではない。
【特許文献１】特開２００１−７５８８１号公報
【特許文献２】特開２００１−１２７８９９号公報
【発明の開示】
【発明が解決しようとする課題】
【０００７】
本発明では上記事情を鑑みて、マルチタスク動作により、自動的にデータをメール添付し、データ交換を行い、同時に受信側で該当添付メールを識別し自動処理を行うことで、現状のユーザ操作（第一ユーザ操作）を妨げず、メール送受信によりデータ交換を自動で実現可能にする携帯移動機、携帯移動機データ送受信システム、方法を提供することを目的とする。
【課題を解決するための手段】
【０００８】
係る目的を達成するため、請求項１に記載の発明は、マルチタスク動作を行っており、動作中の送信要求タスクによるデータ送信要求に対してはデータ送信を行い、受信したデータに対しては受信タスク群によるユーザ設定の処理を行うことを特徴とする携帯移動機であって、送信要求タスクによるデータ送信要求を受信し、データ送信要求に係る送信データと、データの送信先を表すデータ送信先情報を、メールに付加するメール送受信制御手段と、データ送信要求の発生時における携帯移動機の状況から適切なデータ送信先を決定し、対応するデータ送信先情報を前記メール送信制御手段に送信するメール送信先制御手段と、データ送信先情報を管理しており、前記メール送信先制御手段の要求に応じ、対応するデータ送信先情報を前記メール送信先制御手段に送信する送信先情報記憶手段と、前記メール送受信制御手段により、送信データ及びデータ送信先情報が付加されたメールの送信処理を行うメール送受信処理手段とを有し、現状のユーザ操作に影響を与えず、該メールのメール送信処理を行うことを特徴とする。
【０００９】
請求項２に記載の発明は、請求項１に記載の携帯電話機において、前記メール送受信処理手段は、前記メール送信処理により該メールを受信し、該メールの受信通知を前記メール送受信制御手段に送信し、前記メール送受信制御手段は、前記受信タスク群に前記受信通知を振り分け、受信タスク群によるユーザ設定の処理を行うことを特徴とする。
【００１０】
請求項３に記載の発明は、請求項１または２に記載の携帯電話機において、前記メール送信処理により受信する該メールが、マルチタスク動作の処理対象であることを表す識別本文データがあって、前記メール送受信制御手段は、メール送信時には前記識別本文データを該メールに付加し、メール受信時には前記識別本文データより該メールの識別を行い、前記受信タスク群に前記受信通知を振り分けることを特徴とする。
【００１１】
請求項４に記載の発明は、マルチタスク動作を行っており、動作中の送信要求タスクによるデータ送信要求に対してはデータ送信を行い、受信したデータに対しては受信タスク群によるユーザ設定の処理を行うことを特徴とする携帯移動機が互いにネットワークを形成しており、所定のデータの送受信を行う際の携帯移動機データ送受信システムであって、送信側の携帯移動機は、送信要求タスクによるデータ送信要求を受信し、データ送信要求に係る送信データと、データの送信先を表すデータ送信先情報を、メールに付加するメール送受信制御手段と、データ送信要求の発生時における携帯移動機の状況から適切なデータ送信先を決定し、対応するデータ送信先情報を前記メール送信制御手段に送信するメール送信先制御手段と、データ送信先情報を管理しており、前記メール送信先制御手段の要求に応じ、対応するデータ送信先情報を前記メール送信先制御手段に送信する送信先情報記憶手段と、前記メール送受信制御手段により、送信データ及びデータ送信先情報が付加されたメールの送信処理を行うメール送受信処理手段とを有し、現状のユーザ操作に影響を与えず、該メールのメール送信処理を行うことを特徴とする。
【００１２】
請求項５に記載の発明は、請求項４に記載の携帯移動機データ送受信システムにおいて、受信側の携帯移動機は、前記メール送受信処理手段にて、前記メール送信処理により該メールを受信し、該メールの受信通知を前記メール送受信制御手段に送信し、前記メール送受信制御手段にて、前記受信タスク群に前記受信通知を振り分け、受信タスク群によるユーザ設定の処理を行うことを特徴とする。
【００１３】
請求項６に記載の発明は、請求項４または５に記載の携帯移動機データ送受信システムにおいて、前記メール送信処理により受信する該メールが、マルチタスク動作の処理対象であることを表す識別本文データがあって、送信側の携帯移動機は、前記メール送受信制御手段にて、メール送信時には前記識別本文データを該メールに付加し、受信側の携帯移動機は、前記メール送受信制御手段にて、メール受信時には前記識別本文データより該メールの識別を行い、前記受信タスク群に前記受信通知を振り分けることを特徴とする。
【００１４】
請求項７に記載の発明は、マルチタスク動作を行っており、動作中の送信要求タスクによるデータ送信要求に対してはデータ送信を行い、受信したデータに対しては受信タスク群によるユーザ設定の処理を行うことを特徴とする携帯移動機が互いにネットワークを形成しており、所定のデータの送受信を行う際の携帯移動機データ送受信システムにおける携帯移動機データ送受信方法であって、送信側の携帯移動機にて、メール送受信制御手段が、送信要求タスクによるデータ送信要求を受信し、データ送信要求に係る送信データを、メールに付加する第１工程と、メール送信先制御手段が、データ送信要求の発生時における携帯移動機の状況から適切なデータ送信先を決定するため、データの送信先を表すデータ送信先情報の取得要求を送信先情報記憶手段に行う第２工程と、送信先情報記憶手段が、データ送信先情報を管理しており、前記メール送信先制御手段の要求に応じ、対応するデータ送信先情報を前記メール送信先制御手段に送信する第３工程と、前記メール送信先制御手段が、前記第３工程における該データ送信先情報を前記メール送信制御手段に送信する第４工程と、前記メール送受信制御手段が、前記第４工程における該データ送信先情報をメールに付加する第５工程と、メール送受信処理手段が、第５工程における前記メール送受信制御手段により受信した、送信データ及びデータ送信先情報が付加されたメールの送信処理を行う第６工程とを有し、現状のユーザ操作に影響を与えず、該メールのメール送信処理を行うことを特徴とする。
【００１５】
請求項８に記載の発明は、請求項７に記載の携帯移動機データ送受信方法において、受信側の携帯移動機にて、前記第６工程における前記メール送信処理にて、前記メール送受信処理手段が該メールを受信し、該メールの受信通知を前記メール送受信制御手段に送信する第７工程と、前記第７工程における前記メール送受信制御手段が、前記受信タスク群に前記受信通知を振り分ける第８工程とを有し、受信タスク群によるユーザ設定の処理を行うことを特徴とする。
【００１６】
請求項９に記載の発明は、請求項７または８に記載の携帯移動機データ送受信方法において、前記メール送信処理により受信する該メールが、マルチタスク動作の処理対象であることを表す識別本文データがあって、送信側の携帯移動機は、前記メール送受信制御手段にて、メール送信時には前記識別本文データを該メールに付加し、受信側の携帯移動機は、前記メール送受信制御手段にて、メール受信時には前記識別本文データより該メールの識別を行い、前記受信タスク群に前記受信通知を振り分けることを特徴とする。
【００１７】
＜本発明の特徴＞
本発明は、マルチタスク動作が可能な携帯電話機・移動体通信機において、予め登録した送信先（宛先）に対し、使用者が送信先（宛先）設定等を行うことなしに、静止画像・動画像・テキスト・メロディ等のデータ作成／取得終了と同時に、それら添付データと識別本文データを含むメールを作成・送信し、受信側は受信時に識別本文データによる自動判別を実行し、ユーザ指定により、該当メールの着信動作・添付データの自動保存・受信メールの自動削除等の自動性かつ即時性に優れた機能を提供するものである。
【００１８】
例えば、音声通話中に携帯移動機搭載のカメラによる撮影を行った際、通話先／メール送信先の相手先情報を関連付けて保持することにより、音声通話相手に対して撮影した画像を自動的にメール添付形式で送信し、受信側携帯移動機では該当メールの選別を本文識別データにより自動判別を行う事により、受信者は該当データの取得を確認することが可能である。
【発明の効果】
【００１９】
本発明の第１の効果は、現状のユーザ操作（第一ユーザ操作）を妨げず、メール送受信によりデータ交換を自動で実現可能な点にある。
その理由は、マルチタスク動作により、自動的にデータをメール添付し、データ交換を行うことが可能であり、同時に受信側で該当添付メールを識別し自動処理を行う為である。
【００２０】
特に緊急性の高いデータ送信が必要な場合等に、即時性が極めて高いデータ送受信が実現可能になる。
【発明を実施するための最良の形態】
【００２１】
以下、本発明を実施するための最良の形態を図面を参照して説明する。なお、本実施形態は本発明の好適な実施の一例であり、本発明の実施形態は、これに限定されるものではなく、本発明の要旨を逸脱しない範囲において種々変形して実施することが可能である。
【００２２】
＜構成＞
図１の「モジュール関連図」において、送信要求タスク１は、携帯端末上で動作中のデータ作成・取得機能を有する不特定上位タスクを表し、データの作成・取得完了のタイミングでメール送受信制御部２にデータ送信要求を出す。
【００２３】
メール送受信制御部２は、マルチタスク中の１タスクとして常時動作しており、データ送信要求タスク１からのデータ送信要求を受け付けると、メール送信先制御部３を呼び出し、データ送信先情報を取得、付加する。メール送受信制御部２は、同時に識別本文データを付加し、メール送受信処理部４を呼び出す。
【００２４】
メール送信先制御部３は、送信処理発生時の携帯移動機状況から、適切なデータ送信先を決定し、送信先情報テーブル５に問い合わせを行う。入手したデータ送信先情報をメール送受信処理部２へ渡す。
【００２５】
送信先情報テーブル５は、通信情報を一括して管理し、送信先ＩＤ・電話番号・メールアドレス等のデータ送信に必要なデータ送信先情報を保持する。メール送信先制御部３から呼び出される都度、要求にマッチするデータ送信先情報を返す。
【００２６】
メール送受信処理部４は、メール送受信制御部２から呼び出されると、マルチタスク機能の特性を生かし、現状のユーザ操作に影響を与えないメール送信処理を実行する。
【００２７】
メール受信が発生した場合、メール送受信処理部４は、メール送受信制御部２に受信通知を通知する。メール送受信制御部２は、識別本文データにより、本機能該当メールか否かを識別後、ユーザによって設定される着信動作・自動保存・自動削除他等の機能を受け持つ受信タスク群６に対して、受信通知を振り分ける。
【００２８】
一例であるが、この識別本文データをテキストベースのデータとし、対象メールのメールのヘッダまたは本文に付加させておくことで、メール送受信制御部２による本機能該当メールの識別が可能となり、マルチタスク動作によるデータ交換の自動性、即時性が実現される。
【００２９】
受信タスク群６は、ユーザ設定に従った各種処理を実行する。
【００３０】
＜動作＞
図１の「モジュール関連図」に併せ、図２の「送信フローチャート」、および図３の「受信フローチャート」を参照して、本システム全体の動作例について詳細に説明する。
【００３１】
メール送受信制御部２は、最初に動作許可設定を受け付け起動する（７）。その後、動作許可設定が解除された際（８でＮＯ）、処理を停止する。動作許可設定中であれば（８でＹＥＳ）、メール送受信制御部２は、動作中の送信要求タスク１（カメラ撮影・メロディダウンロード等）よりデータ送信要求を受け付け（９）、送信データを取得（１０）後、送信先を決定する為に送信先制御部３へ送信先情報の要求を行う（１１）。
【００３２】
送信先制御部３は、ユーザによって予め設定された情報に従い送信先情報を解決する為、送信先情報テーブル５へ送信先情報を問い合わせる。メール送受信制御部２は、解決された送信先情報に識別本文データを付加（１２）し、メール送受信処理部４へ通知する。メール送受信処理部４は、解決された送信先情報に従い、メール送信を実行する（１３）。送信処理を終了した後は、データ送信要求待ちの状態で待機する（１４）。
【００３３】
メール送受信処理部４は、送信元からメールが届くと、メール受信通知をメール送受信制御部２へ送出する（１５）。メール送受信制御部２は、メールに添付された識別本文データを確認し（１６）、処理対象であるか否かを判断し（１７）、処理対象でなければ（１７でＮＯ）、通常メール受信処理を実行し、処理対象であれば（１７でＹＥＳ）、ユーザ設定の確認処理を実行する（１８）。
【００３４】
ユーザ設定に従って、受信タスク群６中の該当機能が呼び出され、ユーザ設定処理が実行される（１９）。ユーザ設定処理の実施例として、本体画面Ｐｏｐｕｐ表示／背面液晶表示／イルミネーション点滅／受話器スピーカ確認音／本体スピーカ確認音等の制御・メール添付データの自動保存／自動表示／自動再生・該当メールの自動保存／自動削除等が挙げられる。
【実施例】
【００３５】
次に、本実施形態の実施例について図を用いて説明する。本実施形態の送受信技術を用いる事により、携帯電話から携帯電話へのデータ送信に特化しないデータ送受信も可能である。
【００３６】
図４は、機能動作前状況の図であり、ユーザの更新前・受信側携帯移動機２０には、当月のカレンダー表示を期待して、特定オリジナルイメージ２１がデスクトップ上の壁紙として、リンク登録されている。図４では、更新前である為、前月のカレンダーがデスクトップ上に貼り付けられている状況（壁紙等）である。
【００３７】
図５はカレンダー書き換え動作を図解したものである。カレンダーの書き換えが必要である事を認識したデータ送信者２２は、本実施形態のメール送信技術に則して、今月カレンダーデータの添付された、添付メール２３をデータ受信者携帯電話２４に対して送信する。データ受信者携帯電話２４では、受信したメールを、本実施形態のメール受信技術に則し、識別本文データによって選別を実行し、今月カレンダーデータを特定オリジナルイメージとして自動保存を実行する。
【００３８】
ユーザ設定を変更することにより、ユーザに非通知でカレンダーの書き換えおよび該当添付メールの削除を行うことも可能であり、また、着信動作２５を指定することにより、明示的にユーザにデータ書き換えを知らせ、本動作が確実に実行されたか否かを確認することも可能である。
【００３９】
以上の動作により、図６機能動作後状況に示す様に、特定オリジナルイメージ２７に対して、カレンダーデータの自動更新が実行可能であり、更新後・受信側携帯移動機２６上には、常に期待される今月カレンダーを表示させることができる。
【図面の簡単な説明】
【００４０】
【図１】本実施形態の係る携帯電話機のモジュール関連図である。
【図２】本実施形態に係る携帯電話機のデータ送信のフローチャートである。
【図３】本実施形態に係る携帯電話機のデータ受信のフローチャートである。
【図４】本実施形態の実施例に係るカレンダーデータ更新前の受信側携帯電話機の機能動作前状況の図である。
【図５】本実施形態の実施例に係るカレンダー書き換え動作を図解したものである。
【図６】本実施形態の実施例に係るカレンダーデータ更新後の受信側携帯電話機の機能動作後状況の図である。
【符号の説明】
【００４１】
１    送信要求タスク
２    メール送受信制御部
３    メール送信先制御部
４    メール送受信処理部
５    送信先情報テーブル
６    受信タスク群
【図１】
2005038169.tif 000003
【図２】
2005038169.tif 000004
【図３】
2005038169.tif 000005
【図４】
2005038169.tif 000006
【図５】
2005038169.tif 000007
【図６】
2005038169.tif 000008